(57)【要約】  ＤＲＭ技術の連動システムは、搬出装置及び搬入装置を含む。搬出装置は、第１ＤＲＭ装置のＤＲＭ技術が適用されたコンテンツに対してＤＲＭ技術を解除してコンテンツストリームを生成し、コンテンツストリームから複数のパケットを生成して、複数のパケットを搬入装置に伝送する。搬入装置は、搬出装置から複数のパケットを受信し、複数のパケットからコンテンツストリームを生成して、コンテンツストリームに第２ＤＲＭ装置のＤＲＭ技術を適用して第２ＤＲＭ装置に提供する。
2010537304.tif 000002
【特許請求の範囲】
【請求項１】
第１コンテンツ管理装置が出力するコンテンツを第２コンテンツ管理装置の搬入装置に伝達する方法において、
第１コンテンツ管理装置のコンテンツ管理技術が適用されたコンテンツに対して前記コンテンツ管理技術を解除してコンテンツストリームを生成する段階；
前記コンテンツストリームから複数のパケットを生成する段階；
前記複数のパケットを前記搬入装置に伝送する段階；
を含む方法。
【請求項２】
前記搬入装置と交渉して交渉結果を得る段階をさらに含み、
前記複数のパケットを生成する段階は、
前記交渉結果に応じて前記複数のパケットを生成する段階を含む、請求項１に記載の方法。
【請求項３】
前記交渉結果に応じて前記複数のパケットを生成する段階は、
前記交渉結果に応じて前記コンテンツストリームを前記搬入装置に提供する形式に変換して、変換されたコンテンツストリームを生成する段階；
前記変換されたコンテンツストリームから前記複数のパケットを生成する段階；
を含む、請求項２に記載の方法。
【請求項４】
前記交渉結果はパケットの大きさを含み、
前記変換されたコンテンツストリームから前記複数のパケットを生成する段階は、
前記変換されたコンテンツストリームから前記パケットの大きさの前記複数のパケットを生成する段階を含む、請求項３に記載の方法。
【請求項５】
前記交渉結果は暗号化方法を含み、
前記交渉結果に応じて前記複数のパケットを生成する段階は、
前記暗号化方法によって前記複数のパケットを暗号化する段階をさらに含む、請求項４に記載の方法。
【請求項６】
第１コンテンツ管理装置が出力するコンテンツを第２コンテンツ管理装置の搬入装置に伝達する方法を少なくとも一つの処理機が実行するようにするプログラムを記録したコンピュータで読み取ることができる媒体において、
前記方法は、
第１コンテンツ管理技術が適用されたコンテンツに対して前記第１コンテンツ管理技術を解除してコンテンツストリーム、権限情報ストリーム、属性情報ストリームを生成する段階；
前記コンテンツストリームから複数のコンテンツパケットを生成する段階；
前記権限情報ストリームから複数の権限情報パケットを生成する段階；
前記属性情報ストリームから複数の属性情報パケットを生成する段階；
前記複数のコンテンツパケット、前記複数の権限情報パケット、及び前記複数の属性情報パケットを前記搬入装置に伝送する段階；
を含む媒体。
【請求項７】
前記方法は、
前記搬入装置と交渉して交渉結果を得る段階をさらに含み、
前記複数のコンテンツパケットを生成する段階は、
前記交渉結果に応じて前記複数のコンテンツパケットを生成する段階を含み、
前記複数の権限情報パケットを生成する段階は、
前記交渉結果に応じて前記複数の権限情報パケットを生成する段階を含み、
前記複数の属性情報パケットを生成する段階は、
前記交渉結果に応じて前記複数の属性情報パケットを生成する段階を含む、請求項６に記載の媒体。
【請求項８】
前記交渉結果に応じて前記複数のコンテンツパケットを生成する段階は、
前記交渉結果の解像度、コーデック、圧縮率に前記コンテンツストリームを変換して、変換されたコンテンツストリームを生成する段階；
前記変換されたコンテンツストリームから前記交渉結果のパケットの大きさの複数のコンテンツパケットを生成する段階；
前記交渉結果の暗号化方法によって前記複数のコンテンツパケットを暗号化する段階；
を含む、請求項７に記載の媒体。
【請求項９】
前記交渉結果に応じて前記複数の権限情報パケットを生成する段階は、
前記交渉結果の技術言語に前記権限情報ストリームを変換して、変換された権限情報ストリームを生成する段階；
前記変換された権限情報ストリームから前記交渉結果のパケットの大きさの複数の権限情報パケットを生成する段階；
前記交渉結果の暗号化方法によって前記複数の権限情報パケットを暗号化する段階；
を含む、請求項７に記載の媒体。
【請求項１０】
前記交渉結果に応じて前記複数の属性情報パケットを生成する段階は、
前記交渉結果の技術言語に前記属性情報ストリームを変換して、変換された属性情報ストリームを生成する段階；
前記変換された属性情報ストリームから前記交渉結果のパケットの大きさの複数の属性情報パケットを生成する段階；
前記交渉結果の暗号化方法によって前記複数の属性情報パケットを暗号化する段階；
を含む、請求項７に記載の媒体。
【請求項１１】
前記搬入装置に伝送する段階は、
前記交渉結果のパケット伝送順序に従って前記複数のコンテンツパケット、前記複数の権限情報パケット、及び前記複数の属性情報パケットを再配列して、再配列されたパケットを出力する段階；
前記再配列されたパケットを前記搬入装置に伝送する段階；
を含む、請求項７に記載の媒体。
【請求項１２】
第１コンテンツ管理装置の搬出装置が出力するコンテンツを第２コンテンツ管理装置に伝達する方法において、
前記搬出装置から複数のパケットを受信する段階；
前記複数のパケットからコンテンツストリームを生成する段階；
前記コンテンツストリームに前記第２コンテンツ管理装置のコンテンツ管理技術を適用して前記第２コンテンツ管理装置に提供する段階；
を含む方法。
【請求項１３】
前記コンテンツストリームを生成する段階は、
前記コンテンツストリームを前記第２コンテンツ管理装置のための形式に変換する段階を含む、請求項１２に記載の方法。
【請求項１４】
前記搬出装置とパケットの暗号化方法に対して交渉する段階をさらに含み、
前記コンテンツストリームを生成する段階は、
前記複数のパケットを前記暗号化方法に対応する復号方法によって復号する段階をさらに含む、請求項１３に記載の方法。
【請求項１５】
第１コンテンツ管理装置の搬出装置が出力するコンテンツを第２コンテンツ管理装置に伝達する方法を少なくとも一つの処理機が実行するようにするプログラムを記録したコンピュータで読み取ることができる媒体において、
前記方法は、
前記搬出装置から複数のパケットを受信する段階；
前記複数のパケットを複数のコンテンツパケット、複数の権限情報パケット、複数の属性情報パケットに分類する段階；
前記複数のコンテンツパケットからコンテンツストリームを生成する段階；
前記複数の権限情報パケットから権限情報ストリームを生成する段階；
前記複数の属性情報パケットから属性情報ストリームを生成する段階；
前記コンテンツストリーム、前記権限情報ストリーム、前記属性情報ストリームに前記第２コンテンツ管理装置のコンテンツ管理技術を適用して前記第２コンテンツ管理装置に提供する段階；
を含む媒体。
【請求項１６】
前記方法は、
前記搬出装置とパケットの暗号化方法に対して交渉する段階をさらに含み、
前記コンテンツストリームを生成する段階は、
前記複数のコンテンツパケットを前記暗号化方法に対応する復号方法によって復号する段階；及び
前記コンテンツストリームを前記第２コンテンツ管理装置のための形式に変換する段階；を含む、請求項１５に記載の媒体。
【請求項１７】
前記方法は、
前記搬出装置とパケットの暗号化方法に対して交渉する段階をさらに含み、
前記権限情報ストリームを生成する段階は、
前記複数の権限情報パケットを前記暗号化方法に対応する復号方法によって復号する段階；及び
前記権限情報ストリームを前記第２コンテンツ管理装置のための形式に変換する段階；を含む、請求項１５に記載の媒体。
【請求項１８】
前記方法は、
前記搬出装置とパケットの暗号化方法に対して交渉する段階をさらに含み、
前記属性情報ストリームを生成する段階は、
前記複数の属性情報パケットを前記暗号化方法に対応する復号方法によって復号する段階；及び
前記属性情報ストリームを前記第２コンテンツ管理装置のための形式に変換する段階；を含む、請求項１５に記載の媒体。
【発明の詳細な説明】
【技術分野】
【０００１】
本発明は、コンテンツ管理技術の連動のためのコンテンツ伝達方法及び記録媒体に関するものである。
【０００２】
本発明は、情報通信部及び情報通信研究振興院のＩＴ成長動力技術開発事業の一環として行われた研究から導き出されたものである［課題管理番号：２００７−Ｓ−０１７−０１、課題名：使用者中心のコンテンツ保護流通技術の開発］。
【背景技術】
【０００３】
デジタル著作物管理（Digital Rights Management、DRM）技術は、著作権のあるデジタルコンテンツの違法な流通を防止して著作権を保護し、デジタルコンテンツの安全な流通を活性化するための技術である。ＤＲＭシステムを構築するために、暗号化技術、復号化技術、課金、使用権限、公開キー基盤構造（Public Key Infrastructure、PKI）技術などが活用される。
【０００４】
しかし、多様なＤＲＭ技術が普及されるのに伴って、コンテンツや端末器ごとに採択されたＤＲＭ技術が互いに相異して、使用者が合法的に獲得したコンテンツを自身の端末器で利用することができない場合があるなどの問題がある。ＤＲＭ技術によって要求される端末器環境が相異して、ＤＲＭシステム搭載のための技術的制約も多いため、端末器ごとに多種のＤＲＭクライアントを全て設置することは現実的に不可能である。そのため、使用者の便宜及び権益のためには、ＤＲＭシステム間の相互連動や互換性保障のための技術が必要である。
【０００５】
従来のＤＲＭ連動技術として、連動の対象となるＤＲＭシステム間でＤＲＭ技術を公開することによって連動を行う方法がある。しかし、ＤＲＭ技術が解除された著作物は複製、流通が容易である特徴があるため、ＤＲＭ技術の公開は不適切である。
【発明の概要】
【発明が解決しようとする課題】
【０００６】
本発明が目的とする技術的課題は、異なるＤＲＭシステム間でＤＲＭ技術を公開せずにＤＲＭ連動を可能にするシステム及び方法を提供することにある。
【課題を解決するための手段】
【０００７】
本発明の一実施例による第１コンテンツ管理装置が出力するコンテンツを第２コンテンツ管理装置の搬入装置に伝達する方法は、第１コンテンツ管理装置のコンテンツ管理技術が適用されたコンテンツに対して前記コンテンツ管理技術を解除してコンテンツストリームを生成する段階と、前記コンテンツストリームから複数のパケットを生成する段階と、前記複数のパケットを前記搬入装置に伝送する段階とを含む。
【０００８】
この時、前記方法は、前記搬入装置と交渉して交渉結果を得る段階をさらに含み、前記複数のパケットを生成する段階は、前記交渉結果に応じて前記複数のパケットを生成する段階を含むことができる。
【０００９】
また、この時、前記交渉結果に応じて前記複数のパケットを生成する段階は、前記交渉結果に応じて前記コンテンツストリームを前記搬入装置に提供する形式に変換して、変換されたコンテンツストリームを生成する段階と、前記変換されたコンテンツストリームから前記複数のパケットを生成する段階とを含むことができる。
【００１０】
本発明の一実施例による第１コンテンツ管理装置が出力するコンテンツを第２コンテンツ管理装置の搬入装置に伝達する方法を少なくとも一つの処理機が実行するようにするプログラムを記録したコンピュータで読み取ることができる媒体において、前記方法は、第１コンテンツ管理技術が適用されたコンテンツに対して前記第１コンテンツ管理技術を解除してコンテンツストリーム、権限情報ストリーム、属性情報（metadata）ストリームを生成する段階と、前記コンテンツストリームから複数のコンテンツパケットを生成する段階と、前記権限情報ストリームから複数の権限情報パケットを生成する段階と、前記属性情報ストリームから複数の属性情報パケットを生成する段階と、前記複数のコンテンツパケット、前記複数の権限情報パケット、及び前記複数の属性情報パケットを前記搬入装置に伝送する段階とを含む。
【００１１】
本発明の一実施例による第１コンテンツ管理装置の搬出装置が出力するコンテンツを第２コンテンツ管理装置に伝達する方法は、前記搬出装置から複数のパケットを受信する段階と、前記複数のパケットからコンテンツストリームを生成する段階と、前記コンテンツストリームに前記第２コンテンツ管理装置のコンテンツ管理技術を適用して前記第２コンテンツ管理装置に提供する段階とを含む。
【００１２】
本発明の一実施例による第１コンテンツ管理装置の搬出装置が出力するコンテンツを第２コンテンツ管理装置に伝達する方法を少なくとも一つの処理機が実行するようにするプログラムを記録したコンピュータで読み取ることができる媒体において、前記方法は、前記搬出装置から複数のパケットを受信する段階と、前記複数のパケットを複数のコンテンツパケット、複数の権限情報パケット、複数の属性情報パケットに分類する段階と、前記複数のコンテンツパケットからコンテンツストリームを生成する段階と、前記複数の権限情報パケットから権限情報ストリームを生成する段階と、前記複数の属性情報パケットから属性情報ストリームを生成する段階と、前記コンテンツストリーム、前記権限情報ストリーム、前記属性情報ストリームに前記第２コンテンツ管理装置のコンテンツ管理技術を適用して前記第２コンテンツ管理装置に提供する段階とを含む。
【発明の効果】
【００１３】
本発明の実施例によれば、中間データの交換によってＤＲＭ技術の連動を行うので、異なるＤＲＭシステム間でＤＲＭ技術を公開する必要がない。また、異なるＤＲＭシステム間の交渉によって中間データの形式を決定するので、ＤＲＭ技術の連動のための目的のＤＲＭ技術を変更する必要がなく、複数のＤＲＭ技術間のＮ−ｔｏ−Ｎ連動が可能である。そして、交換する中間データとしてファイルでなくパケットを利用するので、ダウンロード型コンテンツだけでなくストリーミング型コンテンツへの適用も容易になる。さらには、交換する中間データとしてパケットを利用するので、送信エラーによる再伝送の負担が減り、コンテンツのリアルタイムサービスが容易になる長所がある。
【図面の簡単な説明】
【００１４】
【図１】本発明の実施例によるＤＲＭ技術の連動システムを示した図である。
【図２】本発明の実施例による搬出装置のブロック図である。
【図３】本発明の実施例による搬入装置のブロック図である。
【図４】本発明の実施例によるコンテンツ搬出方法を示したフローチャートである。
【図５】本発明の実施例によるコンテンツ搬入方法を示したフローチャートである。
【発明を実施するための形態】
【００１５】
以下、添付した図面を参照して、本発明の実施例について、本発明が属する技術分野で通常の知識を有する者が容易に実施できるように詳しく説明する。しかし、本発明は多様な相違した形態で具現され、ここで説明する実施例に限られない。そして、図面においては、本発明を明確に説明するために、説明に不要な部分は省略し、明細書全体を通して類似した部分については、類似した図面符号を付けた。
【００１６】
明細書全体で、ある部分がある構成要素を「含む」とする場合、これは特に反対になる記載がない限り、他の構成要素を除外するのではなく、他の構成要素をさらに含むことを意味する。また、明細書に記載された「…部」、「…器」、「モジュール」などの用語は、少なくとも一つの機能や動作を処理する単位を意味し、これはハードウェアやソフトウェア、またはハードウェア及びソフトウェアの結合によって具現される。
【００１７】
次に、図１乃至図３を参照して、本発明の実施例によるＤＲＭ技術の連動システムを説明する。
【００１８】
図１は、本発明の実施例によるＤＲＭ技術の連動システムを示した図であり、図２は、本発明の実施例による搬出装置のブロック図であり、図３は、本発明の実施例による搬入装置のブロック図である。
【００１９】
図１に示されているように、本発明の実施例によるＤＲＭ技術の連動システムは、第１ＤＲＭ装置１００、搬出装置（exporter）２００、搬入装置（importer）３００、第２ＤＲＭ装置４００を含む。
【００２０】
第１ＤＲＭ装置１００は、第１ＤＲＭが適用されたコンテンツを出力する。
搬出装置２００は、第１ＤＲＭ装置１００から第１ＤＲＭが適用されたコンテンツを受信して搬入装置３００と交渉を行い、交渉結果に応じて第１ＤＲＭが適用されたコンテンツを複数のパケットに変換して、搬入装置３００に提供する。図１に示されているように、搬出装置２００は、交渉器２１０、ＤＲＭ解除器２２０、変換器２３０、パケット化器２４０、暗号化器２５０、伝送器２６０を含む。
【００２１】
図２に示されているように、交渉器２１０は、連動交渉器２１２及び認証器２１１を含む。変換器２３０は、コンテンツ変換器２３１、権限情報変換器２３２、属性情報変換器２３３を含み、パケット化器２４０は、コンテンツパケット化器２４１、権限情報パケット化器２４２、及び属性情報パケット化器２４３を含む。暗号化器２５０は、コンテンツ暗号化器２５１、権限情報暗号化器２５２、属性情報暗号化器２５３を含み、伝送器２６０は、パケットミキサー２６１及びパケット伝送器２６２を含む。
【００２２】
搬入装置３００は、搬出装置２００から複数のパケットを受信して、第２ＤＲＭが適用されたコンテンツを生成して第２ＤＲＭ装置４００に提供する。図１に示されているように、搬入装置３００は、交渉器３１０、受信器３２０、復号化器３３０、アンパケット化器３４０、変換器３５０、ＤＲＭ適用器３６０を含む。
【００２３】
図３に示されているように、交渉器３１０は、連動交渉器３１２及び認証器３１１を含み、受信器３２０は、パケット受信器３２１及びパケット分類器３２２を含む。復号化器３３０は、コンテンツ復号化器３３１、権限情報復号化器３３２、属性情報復号化器３３３を含み、アンパケット化器３４０は、コンテンツアンパケット化器３４１、権限情報アンパケット化器３４２、属性情報アンパケット化器３４３を含む。変換器３５０は、コンテンツ変換器３５１、権限情報変換器３５２、属性情報変換器３５３を含む。
次に、図４を参照して、本発明の実施例による搬出装置２００の動作を説明する。
【００２４】
図４は、本発明の実施例によるコンテンツ搬出方法を示したフローチャートである。
まず、認証器２１１は、搬入装置３００の認証器３１１と相互認証を行う（Ｓ１０１）。
【００２５】
認証が正常に完了されれば（Ｓ１０３）、連動交渉器２１２は、搬入装置３００の連動交渉器３１２と交渉を行う（Ｓ１０５）。この時、連動交渉器２１２は、搬入装置３００に提供するコンテンツストリームの解像度、コーデック、圧縮率、搬入装置３００に提供する権限情報ストリームの技術言語、搬入装置３００に提供する属性情報ストリームの技術言語について交渉を行うことができる。また、連動交渉器２１２は、搬入装置３００に提供するパケットの大きさ、暗号化方法、伝送順序について交渉を行うことができる。
【００２６】
ＤＲＭ解除器２２０は、第１ＤＲＭが適用されたコンテンツに対して第１ＤＲＭを解除してアンパッケージング（unpackaging）して、コンテンツストリーム、使用者に対する利用権限が含まれた権限情報ストリーム、付加情報が含まれた属性情報（metadata）ストリームを生成して出力する（Ｓ１０７）。
【００２７】
次に、変換器２３０は、コンテンツストリーム、権限情報ストリーム、属性情報ストリームを搬入装置３００に伝達する形式に各々変換して、変換されたコンテンツストリーム、変換された権限情報ストリーム、及び変換された属性情報ストリームを生成する（Ｓ１０９）。
【００２８】
具体的に、コンテンツ変換器２３１は、ＤＲＭ解除器２２０からコンテンツストリームを受信して、受信したコンテンツストリームを搬入装置３００に伝達する形式に変換する。この時、コンテンツ変換器２３１は、コンテンツストリームを連動交渉器２１２の交渉結果に応じた形式に変換することができる。つまり、コンテンツ変換器２３１は、連動交渉器２１２の交渉結果に応じた解像度、コーデック、圧縮率などにコンテンツストリームを変換して、変換されたコンテンツストリームを生成して出力することができる。一方、交渉の結果、搬出装置２００及び搬入装置３００が互いに同一なフォーマットのコンテンツストリームを利用する場合には、コンテンツ変換器２３１が変換を行わなくてもよい。
【００２９】
権限情報変換器２３２は、ＤＲＭ解除器２２０から権限情報ストリームを受信して、受信した権限情報ストリームを搬入装置３００に伝達する形式に変換する。この時、権限情報変換器２３２は、権限情報ストリームを連動交渉器２１２の交渉結果に応じた形式に変換することができる。つまり、権限情報変換器２３２は、第１ＤＲＭの技術言語で作成された権限情報ストリームを連動交渉器２１２の交渉結果に応じた技術言語に変換して、変換された権限情報ストリームを生成して出力することができる。一方、交渉の結果、搬出装置２００及び搬入装置３００が互いに同一な技術言語を利用する場合には、権限情報変換器２３２が変換を行わなくてもよい。
【００３０】
属性情報変換器２３３は、ＤＲＭ解除器２２０から属性情報ストリームを受信して、受信した属性情報ストリームを搬入装置３００に伝達する形式に変換する。この時、属性情報変換器２３３は、属性情報ストリームを連動交渉器２１２の交渉結果に応じた形式に変換することができる。つまり、属性情報変換器２３３は、第１ＤＲＭの技術言語で作成された属性情報ストリームを連動交渉器２１２の交渉結果に応じた技術言語に変換して、変換された属性情報ストリームを生成して出力することができる。一方、交渉の結果、搬出装置２００及び搬入装置３００が互いに同一な技術言語を利用する場合には、属性情報変換器２３２が変換を行わなくてもよい。
【００３１】
次に、パケット化器２４０は、変換されたコンテンツストリーム、変換された権限情報ストリーム、及び変換された属性情報ストリームを複数のパケットに分割して出力する（Ｓ１１１）。この時、パケット化器２４０は、連動交渉器２１２の交渉結果に応じた大きさの複数のパケットを出力することができる。各々のパケットは、ヘッダ及びペイロード（payload）を含む。ヘッダは、当該パケットがコンテンツパケットであるか、権限情報パケットであるか、または属性情報パケットであるかを示すパケットタイプ情報を含む。ペイロードには、パケットタイプ情報に相当するデータが分割されて記録される。
【００３２】
具体的に、コンテンツパケット化器２４１は、コンテンツ変換器２３１から変換されたコンテンツストリームを受信して、複数のコンテンツパケットに分割する。この時、コンテンツパケット化器２４１は、変換されたコンテンツストリームを連動交渉器２１２の交渉結果に応じた大きさの複数のコンテンツパケットに分割することができる。
【００３３】
権限情報パケット化器２４２は、権限情報変換器２３２から変換された権限情報ストリームを受信して、複数の権限情報パケットに分割する。この時、権限情報パケット化器２４２は、変換された権限情報ストリームを連動交渉器２１２の交渉結果に応じた大きさの複数の権限情報パケットに分割することができる。
【００３４】
属性情報パケット化器２４３は、属性情報変換器２３２から変換された属性情報ストリームを受信して、複数の属性情報パケットに分割する。この時、属性情報パケット化器２４３は、変換された属性情報ストリームを連動交渉器２１２の交渉結果に応じた大きさの複数の属性情報パケットに分割することができる。
【００３５】
暗号化器２５０は、パケットの伝送過程でコンテンツが違法に奪取されるのを防止するために、パケット化器２４０が出力する複数のパケットを暗号化して、複数の暗号化されたパケットを出力する（Ｓ１１３）。パケットの伝送過程でコンテンツが違法に奪取される恐れのない状況では、暗号化器２５０が暗号化を行わなかったり、省略されてもよい。
【００３６】
具体的に、コンテンツ暗号化器２５１は、複数のコンテンツパケットを暗号化して、複数の暗号化されたコンテンツパケットを生成して出力する。この時、コンテンツ暗号化器２５１は、連動交渉器２１２の交渉結果に応じた暗号化方法によって複数のコンテンツパケットを暗号化することができる。
【００３７】
権限情報暗号化器２５２は、複数の権限情報パケットを暗号化して、複数の暗号化された権限情報パケットを生成して出力する。この時、権限情報暗号化器２５２は、連動交渉器２１２の交渉結果に応じた暗号化方法によって複数の権限情報パケットを暗号化することができる。
【００３８】
属性情報暗号化器２５３は、複数の属性情報パケットを暗号化して、複数の暗号化された属性情報パケットを生成して出力する。この時、属性情報暗号化器２５３は、連動交渉器２１２の交渉結果に応じた暗号化方法によって複数の属性情報パケットを暗号化することができる。
【００３９】
パケットミキサー２６１は、複数の暗号化されたコンテンツパケット、複数の権限情報パケット、複数の属性情報パケットを再配列して出力する（Ｓ１１５）。この時、パケットミキサー２６１は、連動交渉器２１２の交渉結果に応じたパケット伝送順序に従ってパケットを再配列することができる。
【００４０】
パケット伝送器２６２は、パケットミキサー２６１が出力する再配列されたパケットを搬入装置３００に伝送する（Ｓ１１７）。
【００４１】
次に、図５を参照して、本発明の実施例による搬入装置３００の動作を説明する。
図５は、本発明の実施例によるコンテンツ搬入方法を示したフローチャートである。
まず、認証器３１１は、搬出装置２００の認証器２１１と相互認証を行う（Ｓ２０１）。
【００４２】
認証が正常に完了されれば（Ｓ２０３）、連動交渉器３１２は、搬出装置２００の連動交渉器２１２と交渉を行う（Ｓ２０５）。この時、連動交渉器３１２は、搬出装置２００から受信するコンテンツストリームの解像度、コーデック、圧縮率、搬出装置２００から受信する権限情報ストリームの技術言語、搬出装置２００から受信する属性情報ストリームの技術言語について交渉を行うことができる。また、連動交渉器２１２は、搬出装置２００から受信するパケットの大きさ、暗号化方法、伝送順序について交渉を行うことができる。
【００４３】
パケット受信器３２１は、搬出装置２００のパケット伝送器２６２が伝送する複数のパケットを受信する（Ｓ２０７）。
【００４４】
パケット分類器３２２は、パケット受信器３２１が受信した複数のパケットを複数のコンテンツパケット、複数の権限情報パケット、複数の属性情報パケットに分類して出力する（Ｓ２０９）。この時、パケット分類器３２２は、パケットヘッダのパケットタイプ情報によってパケットを分類する。
【００４５】
復号化器３３０は、パケット分類器３２２が出力する複数のパケットを復号して、複数の復号化されたパケットを生成して出力する（Ｓ２１１）。この時、復号化器３３０は、連動交渉器３１２の交渉結果に応じた暗号化方法によって複数のパケットを復号することができる。パケットの伝送過程でコンテンツが違法に奪取される恐れのない状況でパケットが暗号化されていなければ、復号化器３３０が復号を行わなかったり、省略されてもよい。
【００４６】
具体的に、コンテンツ復号化器３３１は、パケット分類器３２２が出力する複数のコンテンツパケットを復号して、複数の復号化されたコンテンツパケットを生成して出力する。この時、コンテンツ復号化器３３１は、連動交渉器３１２の交渉結果に応じた暗号化方法によって複数のコンテンツパケットを復号することができる。
【００４７】
権限情報復号化器３３２は、パケット分類器３２２が出力する複数の権限情報パケットを復号して、複数の復号化された権限情報パケットを生成して出力する。この時、権限情報復号化器３３２は、連動交渉器３１２の交渉結果に応じた暗号化方法によって複数の権限情報パケットを復号することができる。
【００４８】
属性情報復号化器３３３は、パケット分類器３２２が出力する複数の属性情報パケットを復号して、複数の復号化された属性情報パケットを生成して出力する。この時、属性情報復号化器３３３は、連動交渉器３１２の交渉結果に応じた暗号化方法によって複数の属性情報パケットを復号することができる。
【００４９】
アンパケット化器３４０は、複数の復号化されたコンテンツパケット、複数の復号化された権限情報パケット、複数の復号化された属性情報パケットを順序に従って処理して、コンテンツストリーム、権限情報ストリーム、属性情報ストリームを復元する（Ｓ２１３）。
【００５０】
具体的に、コンテンツアンパケット化器３４１は、複数の復号化されたコンテンツパケットを利用してコンテンツストリームを復元する。
【００５１】
権限情報アンパケット化器３４２は、複数の復号化された権限情報パケットを利用して権限情報ストリームを復元する。
【００５２】
属性情報アンパケット化器３４３は、複数の復号化された属性情報パケットを利用して属性情報ストリームを復元する。
【００５３】
変換器３５０は、復元されたコンテンツストリーム、復元された権限情報ストリーム、及び復元された属性情報ストリームを第２ＤＲＭ装置４００が認識できる形態に変換する（Ｓ２１５）。
【００５４】
具体的に、コンテンツ変換器３５１は、第２ＤＲＭ装置４００のための解像度、コーデック、圧縮率などにコンテンツストリームを変換して、変換されたコンテンツストリームを生成して出力する。
【００５５】
権限情報変換器３５２は、復元された権限情報ストリームを第２ＤＲＭの技術言語に変換して、変換された権限情報ストリームを生成して出力する。
【００５６】
属性情報変換器３５３は、復元された属性情報ストリームを第２ＤＲＭの技術言語に変換して、変換された属性情報ストリームを生成して出力する。
【００５７】
ＤＲＭ適用器３６０は、変換されたコンテンツストリーム、変換された権限情報ストリーム、変換された属性情報ストリームに第２ＤＲＭを適用して、第２ＤＲＭが適用されたコンテンツを生成して第２ＤＲＭ装置４００に提供する（Ｓ２１７）。
【００５８】
以上で説明した本発明の実施例は、装置及び方法によってのみ具現されるものではなく、本発明の実施例の構成に対応する機能を実現するプログラムまたはそのプログラムを記録した記録媒体によっても具現され、このような具現は、前述の実施例の記載によって本発明が属する技術分野の当業者であれば容易に実現することができる。
【００５９】
以上で、本発明の実施例について詳細に説明したが、本発明の権利範囲はこれに限定されるものではなく、特許請求の範囲で定義している本発明の基本概念を利用した当業者の多様な変形及び改良形態も本発明の権利範囲に属する。
【符号の説明】
【００６０】
１００  第１ＤＲＭ装置
２００  搬出装置
２１０  交渉器
２１１、３１１  認証器
２１２、３１２  連動交渉器
２２０  ＤＲＭ解除器
２３０  変換器
２３１  コンテンツ変換器
２３２  権限情報変換器
２３３  属性情報変換器
２４０  パケット化器
２４１  コンテンツパケット化器
２４２  権限情報パケット化器
２４３  属性情報パケット化器
２５０  暗号化器
２５１  コンテンツ暗号化器
２５２  権限情報暗号化器
２５３  属性情報暗号化器
２６０  伝送器
２６１  パケットミキサー
２６２  パケット伝送器
３００  搬入装置
３１０  交渉器
３２０  受信器
３２１  パケット受信器
３２２  パケット分類器
３３０  復号化器
３３１  コンテンツ復号化器
３３２  権限情報復号化器
３３３  属性情報復号化器
３４０  アンパケット化器
３４１  コンテンツアンパケット化器
３４２  権限情報アンパケット化器
３４３  属性情報アンパケット化器
３５０  変換器
３５１  コンテンツ変換器
３５２  権限情報変換器
３５３  属性情報変換器
３６０  ＤＲＭ適用器
４００  第２ＤＲＭ装置
【図１】
2010537304.tif 000003
【図２】
2010537304.tif 000004
【図３】
2010537304.tif 000005
【図４】
2010537304.tif 000006
【図５】
2010537304.tif 000007
【国際調査報告】
2010537304.tif 000008
2010537304.tif 000009